(57)【要約】【課題】食器洗い機等の機器にコンパクトに収納可能に構成され、給水ホース接続部からの水漏れを集めるとともに、集めた水を溢水検知手段近傍に滴下させ、いち早く水漏れを検知し、外部への水漏れを確実に防止する接続具を提供する。【解決手段】給水ホース６５の端部が固定される接続具１であって、給水ホース６５は、内側給水ホース６５ａと内側給水ホース６５ａを覆う外側給水ホース６５ｂとを有し、接続具１は、内側給水ホース６５ａの端部に挿入する連結管部６と、連結管部６を固定するとともに外側給水ホース６５ｂと水密につながるカバー部材３と、カバー部材３を固定する固定部材２とを有し、カバー部材３は、内側給水ホース６５ａが内部を通る筒状部３ａ、３ｂと、内部の液体を排出するための液体排出部８が形成されている。【選択図】図４
2011036525.tif 000002
【特許請求の範囲】
【請求項１】
食器洗い機等の機器本体に接続される給水ホースの端部が固定される接続具であって、前記給水ホースは、内側給水ホースと前記内側給水ホースを覆う外側給水ホースとを有し、前記接続具は、前記内側給水ホースの端部に挿入する連結管部と、前記連結管部を固定するとともに前記外側給水ホースと水密につながるカバー部材と、前記カバー部材を固定する固定部材とを有し、前記カバー部材は、前記内側給水ホースが内部を通る筒状部と、内部の液体を排出するための液体排出部とが形成されている接続具。
【請求項２】
カバー部材の筒状部は、上部筒状部と下部筒状部とから成り、液体排出部は、前記上部筒状部から突出して設けられ、固定部材に形成される穴部に挿入される請求項１記載の接続具。
【請求項３】
下部筒状部に外側給水ホースを接続するとともに、液体排出部は、前記下部筒状部より上方に配設した請求項２記載の接続具。
【請求項４】
連結管部により機器本体側の通水管に接続され、液体排出部は、内部の液体を前記機器本体内に排出する請求項１〜３のいずれか１項記載の接続具。
【請求項５】
連結管部の取付部がカバー部材内に収まるよう構成した請求項１〜４のいずれか１項記載の接続具。
【発明の詳細な説明】
【技術分野】
【０００１】
本発明は、食器洗い機等の機器に用いられ、給水ホースを機器内の内部給水ホースに接続する接続具に関するものである。
【背景技術】
【０００２】
食器洗い機は、給水ホースと排水ホースとが接続されて使用されるが、特に、システムキッチンに装着されるビルトインタイプの食器洗い機では、給水ホースと排水ホースの接続部をコンパクトに構成する必要がある。
【０００３】
ビルトインタイプの食器洗い機として、例えば、下記の特許文献１に開示されている食器洗い機７０では、図６に示すように、食器洗い機本体７１の背面７２上方に給水ホース７４、給水弁７５と排水ホース７６とが配置され、給水ホース７４から給水弁７５を介して洗浄室内に給水するとともに、排水ホース７６から機外へ排水する構造を有し、食器洗い機本体７１の奥行き寸法を有効に利用できるようにするため、給水ホース７４と排水ホース７６のうちの少なくとも一方を食器洗い機本体７１の背面７２に設けた溝部７３に配置し、食器洗い機本体７１の背面７２上方から背面７２の外部を通して配管するようにした構成が示されている。
【０００４】
このような食器洗い機７０では、給水ホース７４に高い水圧がかかり、給水弁７５が開閉されるたびに、給水弁７５と給水ホース７４との接続部分にも繰り返し高い水圧がかかるため、長期間の使用でこの接続部分が損傷を受けた場合、その損傷部分から水漏れが発生することがあった。
【０００５】
そこで、本発明者らは、食器洗い機の給水弁の接続部における水漏れの原因が、給水弁が開閉されるたびに、給水弁と給水ホースとの接続部分にも繰り返し高い水圧がかかることにあることから、流量制御弁を内蔵した給水弁を食器洗い機の外部に配置し、給水弁から食器洗い機の給水接続部（接続具）に至る間の二次給水ホースにかかる水圧を低下させることを、下記の特許文献２において提案している。
【０００６】
この食器洗い機では、図７に示されるように、接続具は、食器洗い機８０の機器筐体８１の側壁（機器側取付部材８３）に取り付けられ、洗浄室８２に接続されて洗浄水を供給する内部給水ホース８７と食器洗浄機８０外からの給水ホース８４とを接続するもので、接続される給水ホース８４の上流側に給水弁８５が設けられており、この給水弁８５より下流側で、給水ホース８４（二次側）と内部給水ホース８７とを接続している。給水弁８５より上流側の給水ホース８６（一次側）では高い水圧がかかっているが、給水弁８５に組み込まれた不図示の流量制御弁により、下流側の給水ホース８４（二次側）では一次側より低い水圧に調整されている。なお、給水ホース８４は二重構造を有し、本来の耐圧性を有する給水ホース８４ａの外側を保護ホース８４ｂで覆った構成を持っている。
【０００７】
そして、接続具は、図８に示されるように、給水ホース端固定部９０の胴壁部には、胴壁部を貫通する溢水開口９０ｆが設けられ、ホースジョイント４０の接続部（直管部と給水ホース８４ａとの接続部、あるいは、曲管部４３と内部給水ホース８７との接続部）で水漏れが発生した場合には、この溢水開口９０ｆおよび溢水誘導路９３（縦壁９３ａ、９３ｂ→横壁９３ｃ→斜壁９３ｄ）を経由して縦壁９３ａの下方に溢水を誘導する。そして、縦壁９３ａの下端に、その一部が切り欠かれて水切部９３ｅが形成されており、下方に誘導された溢水は水切部９３ｅにおいて滴下することになる。そして、この機器内部の水切部９３ｅの下方に配設された溢水センサー８９により水漏れが発生したことを検出する
ことができるよう構成されていた。
【先行技術文献】
【特許文献】
【０００８】
【特許文献１】特開２００３−２１０３７８号公報
【特許文献２】特開２００８−８２４８０号公報
【発明の概要】
【発明が解決しようとする課題】
【０００９】
しかし、上記の特許文献２のような構成を採る接続具を取り付けた食器洗い機においても、溢水開口９０ｆが保護ホース８４ｂの外側に位置する給水ホース端固定部９０の胴壁部に形成されているため、ホースジョイント４０の接続部で水漏れが発生した場合、漏れた水が給水ホース８４ａと保護ホース８４ｂとの間等に拡散してしまい、いち早く効率よく水漏れを検知して、外部への水漏れを確実に防止することが困難であった。
【００１０】
本発明は、食器洗い機等の機器にコンパクトに収納可能に構成され、機器本体に組み込まれた場合に、内側給水ホースおよび連結管部からの水漏れを、外側給水ホースと水密につながるカバー部材に集めるとともに、集めた水をカバー部材の液体排出部から排出することで、漏れた水を確実に機器内に戻し、いち早く効率よく水漏れを検知して、この接続部分から外部への水漏れを確実に防止する接続具を提供することを目的としている。
【課題を解決するための手段】
【００１１】
本発明の請求項１に係る接続具は、食器洗い機等の機器本体に接続される給水ホースの端部が固定される接続具であって、前記給水ホースは、内側給水ホースと前記内側給水ホースを覆う外側給水ホースとを有し、前記接続具は、前記内側給水ホースの端部に挿入する連結管部と、前記連結管部を固定するとともに前記外側給水ホースと水密につながるカバー部材と、前記カバー部材を固定する固定部材とを有し、前記カバー部材は、前記内側給水ホースが内部を通る筒状部と、内部の液体を排出するための液体排出部とが形成されているもので、これにより、内側給水ホースおよび内側給水ホースの接続部、連結管部からの水漏れを、外側給水ホースと水密につながるカバー部材に集めるとともに、集めた水をカバー部材の液体排出部から排出することで、漏れた水を確実に機器内に戻し、いち早く効率よく水漏れを検知して、この接続部分から外部への水漏れを確実に防止することができる。
【００１２】
本発明の請求項２に係る接続具は、請求項１に記載の接続具において、カバー部材の筒状部は、上部筒状部と下部筒状部とから成り、液体排出部は、前記上部筒状部から突出して設けられ、固定部材に形成される穴部に挿入されるもので、これにより、カバー部材の液体排出部から排出される水の拡散を防止し、水漏れ検知手段等の設置位置に確実に滴下させることができる。
【００１３】
本発明の請求項３に係る接続具は、請求項２に記載の接続具において、下部筒状部に外側給水ホースを接続するとともに、液体排出部は、前記下部筒状部より上方に配設したもので、これにより、接続部で漏れた水が内側給水ホースと外側給水ホースとの間等に拡散することを抑制して、いち早く効率よく液体排出部から排出することができ、いち早く効率よく水漏れを検知して、外部への水漏れを確実に防止することができる。
【００１４】
本発明の請求項４に係る接続具は、請求項１〜３に記載の接続具において、連結管部により機器本体側の通水管に接続され、液体排出部は、内部の液体を前記機器本体内に排出するもので、これにより、連結管部からの水漏れを、カバー部材で回収して機器本体内に回収することができ、機器外部への水漏れを確実に防止することができる。また、接続部
分から漏れた水を機器本体内に配設した溢水検知手段に導くことで、いち早く効率よく水漏れを検知することができる。
【００１５】
本発明の請求項５に係る接続具は、請求項１〜４に記載の接続具において、連結管部の取付部がカバー部材内に収まるよう構成したもので、これにより、連結管部で漏れた水が拡散することを防止するとともに、いち早く効率よく確実に液体排出部から排出することができ、漏れた水を確実に機器内に戻し、いち早く効率よく水漏れを検知して、外部への水漏れを確実に防止することができる。
【発明の効果】
【００１６】
本発明の接続具によれば、食器洗い機等の機器にコンパクトに収納可能に構成され、機器本体に組み込まれた場合に、内側給水ホースおよび内側給水ホースの接続部、連結管部からの水漏れを、外側給水ホースと水密につながるカバー部材に集めるとともに、集めた水をカバー部材の液体排出部から排出することで、漏れた水を確実に機器内に戻し、いち早く効率よく水漏れを検知して、この接続部分から外部への水漏れを確実に防止することができる。
【図面の簡単な説明】
【００１７】
【図１】本発明に係る接続具を食器洗い機に取り付けた一つの適用例を説明するための正面図
【図２】本発明に係る接続具の概要を説明するための斜視図
【図３】本発明に係る接続具の概要を説明するための斜視図
【図４】本発明に係る接続具の構造を説明するための正面断面図
【図５】本発明に係る接続具の構造を説明するための側断面図
【図６】（ａ）従来の接続具を食器洗浄い機に取り付けた例を説明するための正面図（ｂ）同例の背面側から見た斜視図
【図７】従来の他の接続具を食器洗い機に取り付けた例を説明するための正面図
【図８】従来の他の接続具の構造を説明するための背面図
【発明を実施するための形態】
【００１８】
以下、本発明の接続具に係る実施の形態１について、図に基づき詳細に説明する。なお、この実施の形態によって本発明が限定されるものではない。
【００１９】
（実施の形態１）
図１は本発明に係る接続具を食器洗い機に取り付けた一つの適用例を説明するための正面図、図２および図３は本発明に係る接続具の概要を説明するための斜視図、図４は本発明に係る接続具の構造を説明するための正面断面図、図５は本発明に係る接続具の構造を説明するための側断面図である。
【００２０】
接続具１は、例えば、図１に示されるように、食器洗い機６０の食器洗い機本体６１の側壁（機器側取付部材６２）に取り付けられ、洗浄室６３に接続されて洗浄水を供給する通水管６４と食器洗い機６０外からの給水ホース６５とを接続する接続具であって、本実施の形態では、接続される給水ホース６５の上流側に給水弁６６が設けられており、この給水弁６６より下流側で、給水ホース６５と通水管６４とを接続している。給水弁６６より上流側の給水配管６８では高い水圧がかかっているが、給水弁６６に組み込まれた不図示の流量制御弁により、下流側の給水ホース６５では低い水圧に調整されている。なお、給水ホース６５は二重構造を有し、本来の耐圧性を有する内側給水ホース６５ａの外側を外側給水ホース６５ｂで覆った構成を持っている。
【００２１】
また、接続具１は、固定部材２により食器の洗浄に使用された後の排水を一旦上位に引
き上げ、機器外部に排出するため、排水ホース６７をも保持する構成となっている。
【００２２】
この接続具１は、内側給水ホース６５ａの端部に挿入する連結管部６と、連結管部６を固定するとともに外側給水ホース６５ｂと水密につながるカバー部材３と、カバー部材３を内包して固定する固定部材２とを備えて構成されている。
【００２３】
固定部材２は、外側給水ホース６５ｂの端部６５ｃを水密につなぐカバー部材３を固定するカバー部材固定部４と、カバー部材固定部４の下方に位置して外側給水ホース６５ｂを保持する外側給水ホース保持部５とを備えて構成され、ポリプロピレン樹脂やポリカーボネート樹脂などの合成樹脂を用いて一体に成形されている。
【００２４】
また、カバー部材３は、上部の筒状の本体部３ａの上端３ｃより下方に、内側給水ホース６５ａと通水管６４とを接続する連結管部６を収納し保持する連結管保持部７を備え、連結管保持部７の下方に、カバー部材３内部の液体を排出する液体排出部８をカバー部材３の筒状の本体部３ａから側方に突出して設け、固定部材２に設けた穴部９に挿入されて固定されている。
【００２５】
固定部材２の穴部９は、溢水誘導路１０により食器洗い機本体６１に設けた溢水検知手段６９の近傍に、液体排出部８から排出される液体を導くよう構成されている。
【００２６】
また、固定部材２のカバー部材固定部４は、カバー部材３の連結管保持部７を下方から支える保持部１１と、連結管部６が上方へ移動するのを阻止する上方規制リブ１２により、カバー部材３の上下位置の規制をしている。
【００２７】
連結管部６は、通水管６４と内側給水ホース６５ａを接続するためのものであり、連結管取付板１３の上方に雄ネジ部１４が一体的に設けられ、通水管６４が接続される曲管部１５の基端部１５ａが、雄ネジ部１４との間に逆流防止弁１６を装着した状態で、ナット部材１７により雄ネジ部１４に回転可能に螺合されているとともに、連結管取付板１３の下方に内側給水ホース６５ａが接続される直管部１９が一体的に設けられている。
【００２８】
カバー部材３は、液体排出部８より下方の下端部に中空円筒状の筒状部３ｂを備え、筒状部３ｂの外周部に外側給水ホース６５ｂの端部６５ｃが接続され、中空部を内側給水ホース６５ａが貫通して連結管取付板１３の直管部１９に接続される。
【００２９】
また、カバー部材３は、連結管部６によって通水管６４と内側給水ホース６５ａとが接続された状態において、連結管取付板１３がカバー部材３内に収まるよう、筒状の本体部３ａの上端３ｃを連結管取付板１３の上平面１３ａより高い位置に設定してある。
【００３０】
また、カバー部材３上部の筒状の本体部３ａの内寸法を下部の筒状部３ｂの内径より大きく設定し、連結管取付板１３の外寸法が筒状部３ｂの内径より大きくなるように構成してある。
【００３１】
固定部材２の外側給水ホース保持部５は、カバー部材３の筒状部３ｂの下端より下方まで垂下され、その下端部に外側給水ホース６５ｂに設けられた円環形状の円環凹溝２０に係合する半円環状突状部２１が形成されている。
【００３２】
接続具１の組み付けおよび食器洗い機６０への取り付けは、以下の手順で行われる。まず、給水ホース６５を接続したカバー部材３および連結管部６を、固定部材２に側方（図５における手前側）から挿入するように組み付ける。具体的には液体排出部８を穴部９に挿入し、位置決めを行ってから、カバー部材３および連結管部６を固定部材２に挿入する
。この組み付けにより、カバー部材３および連結管部６は固定部材２により挟圧される。さらに、固定部材２を食器洗い機本体６１の側壁に取り付けてから、連結管部６に通水管６４を接続する。
【００３３】
次に上記構成における接続具の動作、作用について説明すると、食器洗い機６０に給水をする際に、内側給水ホース６５ａと給水弁６６の接続部、内側給水ホース６５ａと連結管部６との接続部の外れや、内側給水ホース６５ａの破損等により水漏れが発生した場合、外側給水ホース６５ｂ内部に水が回収され、外側給水ホース６５ｂの上端に水密につながれたカバー部材３まで水が溜まる。溜まった水は、カバー部材３に設けられた液体排出部８から固定部材２の穴部９を通すことにより水の拡散を防ぎつつ、溢水誘導路１０により溢水検知手段６９の近傍へ水を滴下されるため、漏れた水を確実に機器内に戻し、いち早く溢水検知手段６９により検知をすることができ、機外へ水が漏れるのを防止することができる。
【００３４】
また、カバー部材３の下部に形成した筒状部３ｂに外側給水ホース６５ｂを接続するとともに、液体排出部８は、その筒状部３ｂより上方に配設したことにより、接続部で漏れた水が内側給水ホース６５ａと外側給水ホース６５ｂとの間等に拡散することを抑制して、いち早く効率よく液体排出部８から排出することができ、いち早く効率よく水漏れを検知して、外部への水漏れを確実に防止することができる。
【００３５】
また、連結管部６のナット部材１７の緩みが発生して水漏れが発生した場合、連結管取付板１３がカバー部材３内に収容されているため、水を拡散させることなく回収することができるため、液体排出部８より同様に、溢水検知手段６９へ水を滴下させ、いち早く溢水検知手段６９により検知をすることができ、機外へ水が漏れるのを防止することができる。この際、連結管部６のナット部材１７周辺から漏れた水は、カバー部材３上部の筒状の本体の内壁を伝って下降してくる可能性が高いが、カバー部材３上部の筒状の本体部３ａの内寸法を下部の筒状部３ｂの内径より大きく設定してあるので、筒状部３ｂから内側給水ホース６５ａと外側給水ホース６５ｂとの間に浸入させずに液体排出部８に導くことが容易となる。
【産業上の利用可能性】
【００３６】
以上のように、本発明に係る接続具は、内側給水ホースおよび内側給水ホースの接続部、連結管部からの水漏れを、外側給水ホースと水密につながるカバー部材に集めるとともに、集めた水をカバー部材の液体排出部から排出することで、漏れた水を確実に機器内に戻し、いち早く効率よく水漏れを検知して、この接続部分から外部への水漏れを確実に防止することができるので、食器洗い機等の機器に組み込まれる接続具として有用である。
【符号の説明】
【００３７】
１  接続具
２  固定部材
３  カバー部材
３ａ  本体部（上部筒状部）
３ｂ  筒状部（下部筒状部）
４  カバー部材固定部
５  外側給水ホース保持部
６  連結管部
７  連結管保持部
８  液体排出部
９  穴部
１０  溢水誘導路
１３  連結管取付板（連結管部の取付部）
１５  曲管部
１６  逆流防止弁
１９  直管部
２０  円環凹溝
２１  半円環状突状部
６０  食器洗い機
６１  食器洗い機本体（機器本体）
６３  洗浄室
６４  通水管
６５  給水ホース
６５ａ  内側給水ホース
６５ｂ  外側給水ホース
６６  給水弁
６９  溢水検知手段
【図１】
2011036525.tif 000003
【図２】
2011036525.tif 000004
【図３】
2011036525.tif 000005
【図４】
2011036525.tif 000006
【図５】
2011036525.tif 000007
【図６】
2011036525.tif 000008
【図７】
2011036525.tif 000009
【図８】
2011036525.tif 000010